(57)【特許請求の範囲】
【請求項１】
反射板と、該反射板の下方に設けた輻射形ヒータと、該ヒータの下方に空間を存して配設したヒータカバーと、該ヒータカバーの下方にガードを備えたものにおいて、前記ヒータカバーは、複数個の熱透過孔を設けると共に該熱透過孔を所定間隙を存して覆う鎧戸状の遮熱片を設けたことを特徴とする電気コタツのヒ−タユニット。
【請求項２】
前記輻射形ヒータは棒形状を呈し、前記ヒータカバーは輻射形ヒータの長手方向に沿って細長に形成すると共に前記熱透過孔はヒータカバーの長手方向と直交する方向に細長の孔形状にして形成したことを特徴とする請求項１に記載の電気コタツのヒ−タユニット。
【発明の詳細な説明】
【０００１】
【産業上の利用分野】
本発明は赤外線を放射する輻射形ヒータと、このヒータを覆うヒータカバーを有した電気コタツのヒータユニットに関する。
【０００２】
【従来の技術】
此種の輻射形ヒータを用いた電気コタツのヒータユニットは、例えば特開平４−１３９３５６号公報の第９図に見られるように直管状ヒータ（４）の下面に遮熱板（７）を設けている。この遮熱板は本公報にも掲記されているとおり、ヒータの放射熱量を調整するために複数個の放射孔（８）…を設けている。（図５、図６参照）
輻射形のヒータは、該ヒータから放射される輻射熱によって暖房するものであり、速熱性がありすばやく暖まるものの長時間、肌に当ったままでいると痛いような感覚を覚える。
【０００３】
このため、適当量の輻射熱を通過させて速熱性高め、少々の長い時間では痛みを覚えない程度の暖かさを得ることを目的とした前述のような遮熱板が提案された。
【０００４】
【発明が解決しようとする課題】
しかしながら、前述の遮熱板に設けた放射孔は単にパンチング加工によって打ち抜いて形成したものであり、ヒータと保護ガード（９）とが図６に示すように前記放射孔を介して直視できる構成となっている。
【０００５】
このため、図６の矢印のようにヒータの輻射熱が放射孔を介して、直接保護ガードに当り、このガードの温度が上昇し火傷を負う危険があった。
【０００６】
因みに、前述のような構成において、保護ガードの温度上昇を抑えるために遮熱板と保護ガードとの距離或は遮熱板を介在した状態におけるヒータと保護ガードとの距離を大きくすることが考えられるが、この場合にはヒータユニット全体が厚くなりコタツ内に大きく飛び出して邪魔になる。
【０００７】
本発明は、ヒータユニットを厚くすることなくガードの温度上昇を抑え、且つ輻射熱による速熱性を高めたものである。
【０００８】
【課題を解決するための手段】
本発明は、反射板と、該反射板の下方に設けた輻射形ヒータと、該ヒータの下方に空間を存して配設したヒータカバーと、該ヒータカバーの下方にガードを備えたものにおいて、前記ヒータカバーは、複数個の熱透過孔を設けると共に該熱透過孔を所定間隙を存して覆う鎧戸状の遮熱片を設けたものである。
【０００９】
また、前記輻射形ヒータは棒形状を呈し、前記ヒータカバーは輻射形ヒータの長手方向に沿って細長に形成すると共に前記熱透過孔はヒータカバーの長手方向と直交する方向に細長の孔形状にして形成したものである。
【００１０】
【作用】
輻射形ヒータの下方に設けたヒータカバーに複数個の熱透過孔と該熱透過孔を所定間隔を存して覆う鎧戸状の遮熱片を設けたことにより、ヒータの輻射熱は、遮熱片に当たりガードの温度上昇を抑えると共に遮熱片に当った輻射熱はその強さが弱められて熱透過孔から放射されるものと斜め方向から熱透過孔を介して放射されるものとにより速熱性を高める。
【００１１】
前記熱透過孔は、ヒータカバーの長手方向と直交する方向に細長の孔形状に形成したことにより、ヒータの輻射熱は熱透過孔を通過したあとヒータの長手方向に対して直交する方向に広がって放射されるため、ヒータユニットの下方の全体を満遍なく暖めることができる。
【００１２】
【実施例】
本発明の実施例を図面に基づいて説明する。図１は本発明の電気コタツのヒータユニットの要部断面図、図２は同じくヒータユニットの下面図、図３は同じくヒータカバーの平面図、図４は図３のＡ−Ａ断面図、図５は従来のヒータカバーの平面図、図６は同じくヒータとヒータカバーとガードの部分断面図である。
【００１３】
（１０）は方形に構成された電気コタツの枠体（図示せず）の中央部に着脱自在に装着するヒータユニットで、以下にその詳細構造を説明する。
【００１４】
（１１）は平板状の反射板、（１２）（１２）は前記反射板（１１）の下方に一定距離を存して前記反射板に取り付けた赤外線の輻射形ヒータで、内部にヒータコイル（１３）を巻回すると共に棒形状を呈しており、それぞれを平行に配置している。
【００１５】
（１４）は両端を前記反射板（１１）の下面に固定した支持板、（１５）は該支持板の中央部に固定したモータ、（１６）は該モータに取り付けたファン、（１７）（１７）は前記輻射形ヒータ（１２）の下方に空間（Ｈ）を存して配設した鉄板製のヒータカバーで、複数個の熱透過孔（１８）…を設けると共にこの熱透過孔と所定間隙（Ｌ）を存して鎧戸状の遮熱片（１９）…を設けている。前記ヒータカバー（１７）（１７）は輻射形ヒータの長手方向に沿って細長に形成すると共に前記熱透過孔（１８）…はヒータカバー（１７）（１７）の長手方向と直交する方向に細長の孔形状にして形成している。
【００１６】
（２０）は前記ヒータカバー（１７）（１７）の下方に空間（Ｍ）を存して配設した鋼線材を縦横に組み合わせたガードで、一部には温度調節用のサーモスタット（図示せず）を被う保護カバー（２１）を有している。
【００１７】
次に輻射形ヒータ（１２）（１２）の輻射熱の放射について述べる。輻射形ヒータ（１２）（１２）とモータ（１５）に通電すると、輻射形ヒータの直下に放射する輻射熱は、前記熱透過孔（１８）…内に入って遮熱片（１９）…に当たり図１に示すように矢印方向に反射すると共にヒータカバー（１７）の図３の矢印Ｐで示す方向に拡散する。一方、輻射形ヒータの斜め下方に放射する輻射熱は、図１に示すように熱透過孔（１８）から斜め方向には入って通過しガード（２０）に向かって放射される。
【００１８】
この時の斜め下方に放射する輻射熱は前述の直下に放射する輻射熱に比べて輻射温度が低い。
【００１９】
従って、ガード（２０）は、輻射形ヒータ（１２）（１２）の斜め下方に放射するものと直下に放射して左右に拡散するものとにより加熱されるが、いづれも輻射熱としては弱いものである。
【００２０】
【発明の効果】
以上のように本発明は、輻射形ヒータの輻射熱は遮熱片に当たりガードの温度上昇を抑えると共に遮熱片に当った輻射熱はその強さを弱められて熱透過孔から放射されるものと斜め方向から熱透過孔を介して放射されるものとによりヒータユニットの下方の温度を急速に高める。この結果、カードは極端な高温とならないために火傷を防止できないと共に速熱性を高める。
【００２１】
また、ヒータの輻射熱は熱透過孔を透過したあとヒータの長手方向に対して直交する方向に放射されるため、ヒータユニットの下方の全体を均一に暖めることができる。
【図面の簡単な説明】
【図１】本発明の電気コタツのヒータユニットの要部断面図である。
【図２】同じくヒータユニットの下面図である。
【図３】同じくヒータカバーの平面図である。
【図４】同じく図３のＡ−Ａ断面図である。
【図５】従来のヒータカバーの平面図である。
【図６】同じく従来のヒータとヒータカバーとガードの部分断面図である。
【符号の説明】
１０    ヒータユニット
１１    反射板
１２    輻射形ヒータ
１７    ヒータカバー
１８    熱透過孔
１９    遮熱片
２０    ガード
【図１】
0003619543.tif 000002
【図２】
0003619543.tif 000003
【図３】
0003619543.tif 000004
【図４】
0003619543.tif 000005
【図５】
0003619543.tif 000006
【図６】
0003619543.tif 000007